(57)【要約】【課題】蓋の表面に表示された情報の摩滅を防止し、長期に亘って情報の判別をできるようにした地中弁室用蓋を提供すること。【解決手段】蓋１の表面高さより低い位置に、弁栓類の種類、口径等の情報３１を表示した地中弁室用蓋である。情報３１は、蓋１の表面高さより低い位置に配置された表示プレート３０に表示され、表示プレート３０の全高さに亘り形成されている。【選択図】図１
0003146023.tif 000002
【実用新案登録請求の範囲】
【請求項１】
蓋と該蓋を開閉可能に受載する受枠とからなり、該蓋の表面高さより低い位置に、弁栓類の種類、口径等の情報を表示したことを特徴とする地中弁室用蓋。
【請求項２】
前記情報は、蓋の表面高さより低い位置に設けた凹面表示部に表示された請求項１に記載の地中弁室用蓋。
【請求項３】
前記蓋は、
周囲に縁部を有し、この縁部に囲まれた部分を窪み部とした蓋本体と、
蓋本体とは別部材で形成され、蓋本体の窪み部に嵌め込まれて一体に固定されたベースプレートとを備え、
前記凹面表示部は、前記ベースプレートに設けられた請求項２に記載の地中弁室用蓋。
【請求項４】
前記情報は、蓋の表面高さより低い位置に配置された表示プレートに表示された請求項１に記載の地中弁室用蓋。
【請求項５】
表示プレートに表示された情報は、表示プレートの全高さに亘り形成された請求項４に記載の地中弁室用蓋。
【請求項６】
前記蓋は、
周囲に縁部を有し、この縁部に囲まれた部分を窪み部とした蓋本体と、
蓋本体とは別部材で形成され、蓋本体の窪み部に嵌め込まれて一体に固定されたベースプレートとを備え、
前記表示プレートは、前記ベースプレートの表面に設けた凹部に嵌め込まれて一体に固定された請求項４または請求項５に記載の地中弁室用蓋。
【請求項７】
前記表示プレートは、前記蓋の表面に設けた凹部に嵌め込まれて一体に固定された請求項４または請求項５に記載の地中弁室用蓋。
【請求項８】
前記情報の上面を透明板で覆って、この透明板を蓋と一体に固定した請求項１乃至請求項７のいずれかに記載の地中弁室用蓋。
【請求項９】
前記透明板の表面にスリップ防止のための突起を設けた請求項８に記載の地中弁室用蓋。
【考案の詳細な説明】
【技術分野】
【０００１】
本考案は、地中に設置される止水栓、仕切弁、制水弁等の弁栓類を収容する地中弁室上に設置される地中弁室用蓋の蓋に関し、とくに蓋の表面に弁栓類の種類、口径等の情報を表示した地中弁室用蓋に関する。
【背景技術】
【０００２】
地中弁室用蓋は、止水栓、仕切弁、制水弁等の弁栓類を収容する地中弁室上に設置される受枠と、その開口部を開閉可能に塞止する蓋とからなり、その管理や取扱いの利便性の点から、収容する弁栓類の種類、口径、自治体のマーク等の情報を蓋の表面に表示するようにしており、かかる情報は、地中弁室用蓋が鋳物製であることから、一般的には鋳出しによって蓋と一体に形成されている（例えば、特許文献１の第３図参照）。
【０００３】
また、特許文献２に開示されているように、情報を表示する部材を別部材で構成し、蓋本体にネジ等の締結手段によって取り付けることもある。
【特許文献１】実公昭６１−２４６０６号公報
【特許文献２】特開２０００−２９１０３９号公報
【考案の開示】
【考案が解決しようとする課題】
【０００４】
しかしながら、このような従来の地中弁室用蓋において蓋の表面に表示された情報は、鋳出しによる一体成形であると、別部材による形成であるのにかかわらず、蓋の表面と同じ高さに位置しており、直接、多くの自動車やトラックのタイヤ、あるいは歩行者の靴裏と接触するため、次第に摩滅し、表示された情報が判別できなくなってしまう。
【０００５】
そこで本考案が解決しようとする課題は、蓋の表面に表示された情報の摩滅を防止し、長期に亘って情報の判別をできるようにした地中弁室用蓋を提供することにある。
【課題を解決するための手段】
【０００６】
本考案の地中弁室用蓋は、蓋の表面高さより低い位置に、弁栓類の種類、口径等の情報を表示したことを特徴とするものである。
【０００７】
このように情報を蓋の表面高さより低い位置に表示することで、直接、自動車やトラックのタイヤ、あるいは歩行者と接触しにくくなるので、情報の摩滅を防止できる。
【０００８】
本考案において情報は、蓋の表面高さより低い位置に設けた凹面表示部に表示することができる。そしてこの凹面表示部は、蓋の周囲の縁部に囲まれた窪み部に嵌め込まれて一体に固定されたベースプレートに設けることができる。
【０００９】
また、本考案において情報は、蓋の表面高さより低い位置に配置された表示プレートに表示することができる。この場合、表示プレートに表示する情報は、表示プレートの全高さに亘り形成することが好ましい。情報を表示プレートの全高さに亘り形成すると、表示プレートの表面が摩滅したとしても情報は常に表面に現れるので、情報自体の摩滅は回避され、長期に亘って情報の判別をできる。この表示プレートは、前述のベースプレートまたは蓋に設けた凹部に嵌め込んで一体に固定することができる。
【００１０】
本考案において情報の上面は透明板で覆って、この透明板を蓋と一体に固定することが好ましい。情報を透明板で覆うことで、表示された情報を容易に視認できるとともに、長期間に亘って情報の摩滅を防止できる。
【００１１】
さらに透明板の表面には、スリップ防止のための突起を設けることが好ましい。これによって、自転車や歩行者の雨天時等のスリップ防止効果も奏することができる。
【考案の効果】
【００１２】
本考案によれば、蓋の表面に表示された情報の摩滅が防止され、長期に亘って情報の判別をできるようになる。
【考案を実施するための最良の形態】
【００１３】
以下、図面に示す実施例に基づき本考案の実施の形態を説明する。なお、受枠については図示しない。
【実施例１】
【００１４】
図１は本考案の第１実施例を示し、（ａ）は平面図、（ｂ）は（ａ）のＡ−Ａ断面図である。
【００１５】
図１に示す本考案の地中弁室用蓋の蓋１は、蓋本体１０とベースプレート２０との組合せを基本構成とする。
【００１６】
蓋本体１０は鋳鉄製で、周囲に縁部１１を有し、この縁部１１に囲まれた部分を窪み部１２とした略盆形状に形成されている。
【００１７】
ベースプレート２０は、ポリカーボネート等の樹脂製で、射出成形等によって成形され、蓋本体１０の窪み部１２に嵌め込まれて一体に固定されている。このベースプレート２０は、周囲に蓋本体１０の縁部１１と同じ高さとなる縁部２１を有し、縁部２１に囲まれた部分が窪み部２２となっており、窪み部２２の表面には、スリップ防止のための突起２３が蓋本体１０の縁部１１と同じ高さになるように設けられている。
【００１８】
また、ベースプレート２０（窪み部２２）の表面には凹部２４が設けられ、この凹部２４に、情報３１を表示した表示プレート３０が嵌め込まれて一体に固定されている。実施例では、情報３１として弁栓類の種類である「仕切弁」の文字を表示している。そして、表示プレート３０に表示した情報３１の上面を透明板４０で覆って、この透明板４０をベースプレート２０に一体に固定している。透明板４０の表面には、スリップ防止のための突起４１が蓋本体１０の縁部１１と同じ高さになるように設けられている。透明板４０は、ポリカーボネート等の樹脂によって形成できる。
【００１９】
図２は表示プレート３０の一例を示し、（ａ）は斜視図、（ｂ）は断面図である。同図に示す表示プレート３０では、情報３１（「仕切弁」の文字）を表示プレート３０の全高さに亘って形成している。このように情報３１を全高さに亘って形成した表示プレート３０は、インサート成形や、多色成形、または別パーツで成形したものを嵌め込み一体に組み合わせる等によって製作することができる。
【００２０】
なお、情報３１を表示プレート３０の全高さに亘って形成する代わりに、情報３１を表示プレート３０の表面に凹溝または凸条によって形成することもできる。このように、情報３１を凹溝または凸条で形成する場合、その上面を覆う透明板４０に、情報３１を形成する凹溝または凸条に対応する凸条または凹溝を設けて透明板４０を表示プレート３０（情報３１）に嵌め合わせるようにすることが好ましい。
【００２１】
以上の実施例では、表示プレート３０に形成された情報を透明板４０で覆うようにしたが、使用環境が厳しくない場合、透明板４０を省略することもできる。
【実施例２】
【００２２】
図３は本考案の第２実施例を示し、（ａ）は平面図、（ｂ）は（ａ）のＡ−Ａ断面図である。
【００２３】
第１実施例では情報を表示プレート３０に表示したが、この実施例は情報をベースプレート２０に直接表示したものである。
【００２４】
具体的には、図３（ｂ）に示すように、ベースプレート２０に凹面表示部２５を設け、凹面表示部２５に凹溝によって情報２６（「仕切弁」の文字）を表示している。そして、この情報２６が表示された凹面表示部２５を透明板４０で覆って一体に固定している。
【００２５】
この透明板４０は、予めベースプレート２０とは別部材として準備しておき、ベースプレート２０の凹面表示部２５に嵌め込み、接着剤によって固定できるほか、インサート成形や、多色成形、または異材質同時複合成形等によってベースプレート２０と同時に成形することもできる。
【００２６】
その他の構成は第１実施例と同一であり、同一の構成には同一の符号を付して説明を省略する。
【００２７】
なお、図３の実施例では、情報２６を凹溝によって形成して、この凹溝に透明板４０の凸条を嵌め込むようにしたが、情報２６を凸条によって形成して、この凸条に透明板４０の凹溝を嵌め込むようにしてもよい。
【実施例３】
【００２８】
図４は本考案の第３実施例を示し、（ａ）は平面図、（ｂ），（ｃ）はそれぞれ（ａ）のＡ−Ａ断面図である。
【００２９】
この実施例は、第１および第２実施例で使用したベースプレートを省略したものである。すなわち、図４（ｂ）の例では、情報３１を表示した表示プレート３０を蓋本体１０の表面に設けた凹部１３に嵌め込んで一体に固定し、その上面を透明板４０で覆っている。また、図４（ｃ）の例では、蓋本体１０の表面に凹面表示部１４を設け、この凹面表示部１４に凹溝によって情報１５を表示し、その上面を透明板４０で覆って一体に固定している。
【００３０】
なお、この実施例では、ベースプレートにスリップ防止のための突起を設ける代わりに、蓋本体１０にスリップ防止のための突起１６を縁部１１と同じ高さになるように設けている。
【００３１】
その他の構成は第１実施例と同一であり、同一の構成には同一の符号を付して説明を省略する。
【００３２】
以上の各実施例では、情報として弁栓類の種類である「仕切弁」の文字情報を表示したが、他の弁栓類の種類、口径等の文字情報、あるいは自治体等のマークや記号などの図形情報を表示してもよい。
【図面の簡単な説明】
【００３３】
【図１】本考案の第１実施例を示し、（ａ）は平面図、（ｂ）は（ａ）のＡ−Ａ断面図である。
【図２】図１の実施例における表示プレートの一例を示し、（ａ）は斜視図、（ｂ）は断面図である。
【図３】本考案の第２実施例を示し、（ａ）は平面図、（ｂ）は（ａ）のＡ−Ａ断面図である。
【図４】本考案の第３実施例を示し、（ａ）は平面図、（ｂ），（ｃ）はそれぞれ（ａ）のＡ−Ａ断面図である。
【符号の説明】
【００３４】
１  蓋
１０  蓋本体
１１  縁部
１２  窪み部
１３  凹部
１４  凹面表示部
１５  情報
１６  突起
２０  ベースプレート
２１  縁部
２２  窪み部
２３  突起
２４  凹部
２５  凹面表示部
２６  情報
３０  表示プレート
３１  情報
４０  透明板
４１  突起
【図１】
0003146023.tif 000003
【図２】
0003146023.tif 000004
【図３】
0003146023.tif 000005
【図４】
0003146023.tif 000006